(57)【特許請求の範囲】
【請求項１】
被介護者を洗浄するための洗浄装置であって、
被介護者を着座させるためのシートおよびフットレストを有する移動可能なチェアーと、
上方および下方に開口し、前記チェアーに着座した被介護者を前記チェアーごと収容して被介護者の下半身を覆う装置本体と、
前記装置本体内に設けられ、被介護者に向けて洗浄水を噴出するための噴出部と、
前記装置本体の上部開口部分に設けられ、被介護者の上半身を覆う遮蔽部と、
前記装置本体の下部開口部分に設けられた排水口と、
前記装置本体の下部に設けられ、前記チェアーを前記装置本体内に収容した状態で前記チェアーのフットレストに当接することにより、前記装置本体の下部開口部分から排水が漏出するのを防止するための当接部と、
を備えた洗浄装置。
【請求項２】
前記装置本体内には、前記チェアーのシート面に沿う形状の座席面を有する座席部が設けられ、前記座席面には排水口が形成されている、
ことを特徴とする請求項１記載の洗浄装置。
【請求項３】
前記チェアーのシートには開孔が形成されるとともに、前記座席面の排水口の下方には、上方に開口しかつオーバーフロー用の孔を有する小型便器が取り出し可能に設けられている、
ことを特徴とする請求項２記載の洗浄装置。
【発明の詳細な説明】
【０００１】
【発明の属する技術分野】
本発明は、被介護者を洗浄するための介護用洗浄装置に関する。
【０００２】
【従来の技術およびその課題】
寝たきりの老齢者や身障者、病人等の介護の必要な人達（以下、「被介護者」という）が洗浄および入浴を行うための装置が本件出願人により提案されている（特願平７−１４１２９３号参照）。
【０００３】
この装置によれば、導管から水を噴射させることにより、被介護者が着座した状態で洗浄および入浴を行うことができるため、被介護者を浴槽に入れる場合に比べて介護者の負担を軽減できる。しかも、被介護者の希望に応じて全身洗浄および全身入浴をも行うことができる。
【０００４】
前記洗浄，入浴装置は、通常は浴室内に配置されて使用されるが、介護者および被介護者の双方にとっては、このような装置を浴室内ばかりでなく、室内においても使用したい場合がある。
【０００５】
本発明は、このような実情に鑑みてなされたものであり、介護者の負担を軽減でき、しかも、浴室内ばかりでなく室内においても使用することが可能な洗浄装置を提供することを目的とする。
【０００６】
【課題を解決するための手段】
本発明に係る洗浄装置は、被介護者を洗浄するための洗浄装置であって、被介護者を着座させるためのシートおよびフットレストを有する移動可能なチェアーと、上方および下方に開口し、前記チェアーに着座した被介護者を前記チェアーごと収容して被介護者の下半身を覆う装置本体と、前記装置本体内に設けられ、被介護者に向けて洗浄水を噴出するための噴出部と、前記装置本体の上部開口部分に設けられ、被介護者の上半身を覆う遮蔽部と、前記装置本体の下部開口部分に設けられた排水口と、前記装置本体の下部に設けられ、前記チェアーを前記装置本体内に収容した状態で前記チェアーのフットレストに当接することにより、前記装置本体の下部開口部分から排水が漏出するのを防止するための当接部とを備えたことを特徴としている。
【０００７】
請求項２の発明に係る洗浄装置は、請求項１において、前記装置本体内には、前記チェアーのシート面に沿う形状の座席面を有する座席部が設けられ、前記座席面には排水口が形成されていることを特徴としている。
【０００８】
請求項３の発明に係る洗浄装置は、請求項２において、前記チェアーのシートには開孔が形成されるとともに、前記座席面の排水口の下方には、上方に開口しかつオーバーフロー用の孔を有する小型便器が取り出し可能に設けられていることを特徴としている。
【０００９】
【発明の実施の形態】
以下、本発明の実施例を添付図面に基づいて説明する。
図１ないし図６は本発明の一実施例による洗浄装置を説明するための図であって、図１は本実施例装置の使用開始前の状態を示す全体斜視図、図２は本実施例装置の使用中の状態を示す全体斜視図、図３は本実施例装置の装置本体部分の縦断面部分図、図４ないし図６は被介護者による使用中の状態を説明するための図である。
【００１０】
図１および図２に示すように、この洗浄装置１は、被介護者を着座させるためのチェアー２と、チェアー２に着座した被介護者をチェアー２ごと収容するとともに、被介護者の下半身を覆う装置本体３とから主として構成されている。
【００１１】
チェアー２はメッシュ状のシート２１とフットレスト２２とを有し、キャスタ２３により移動可能になっている。シート２１の中央部分には開孔２１ａが形成されている。フットレスト２２の下面にはブラシ２５が植設されている。シート２１の下方においてフットレスト２２の後方部分には、洗浄後に被介護者の体から落ちる滴を受けるための受け皿２４が設けられている。受け皿２４は前後方向にスライド自在に設けられており、フットレスト２２の下方に配設された図示しない圧縮ばねにより常時後方側に付勢されている。
【００１２】
装置本体３は、上方，下方および前方に開口する箱状の部材であって、チェアー２のシート２１に沿う形状の座席部３１を有している。座席部３１には、被介護者に向けて洗浄水を噴出させるための複数のノズル（噴出部）３２が設けられている。座席部３１の両側方の側壁部にも同様のノズル３２が設けられている。これらのノズル３２には、装置本体３内に配設された導管（図示せず）を介して、装置外部から洗浄水が導入されるようになっている。
【００１３】
装置本体３の側面には操作パネル３４が配設されており、この操作パネル３４には、洗浄水導入のためのＯＮ／ＯＦＦスイッチおよび洗浄水の温度調節スイッチ等が設けられている。また、装置本体３の側面にはシャワー３５が取り付けられている。
【００１４】
装置本体３の前部開口部分には開閉可能な前扉３６が設けられている。一方、装置本体３の側面にはレバー３７が設けられており、このレバー３７の操作により、前扉３６の閉状態のロックおよびロック状態の解除が行われるようになっている。前扉３６の上部には、被介護者が把持するための手摺３８が配設されている。前扉３６内には、装置本体３の上部開口を閉塞し得るシャッター（遮蔽部）４０が取り出し可能に収納されている。
【００１５】
装置本体３上部の左右両端部には、シャッター４０の開閉時にシャッター４０をスライド自在にガイドするための一対のガイドレール４１が前後方向に配設されている。各ガイドレール４１の前端は装置本体３の上部に係止されており、後端は各ガイドレール４１を連結する連結板部４２に係止されている。なお、連結板部４２の下部には、図５に示すように、フレキシブルホース４９を介して洗浄水噴出用のノズル３２が設けられている。
【００１６】
各ガイドレール４１および連結板部４２の下方には、上下方向伸縮自在な蛇腹４３が設けられている。この蛇腹４３が伸縮することにより、各ガイドレール４１がそれぞれの前端側を中心に上下方向に回動するようになっている。また、このとき、連結板部４２は、蛇腹４３の後方に配設された係止機構３９（図５）により、任意の高さ位置に保持されるようになっている。
【００１７】
連結板部４２の中央部分には、被介護者を後方から支持するサポート部４４が取り付けられている。連結板部４２上面の左右両端部には、シャッター４０の先端を係脱自在に係止するためのマグネットまたは接着布等からなる係止部４５が取り付けられている。また、シャッター４０の先端には、被介護者を入れるための切欠き４０ａが形成されている。
【００１８】
装置本体３の底壁部には排水口４６が設けられている。排水口４６は、図３に示すように、装置本体３内に配設された排水管４７に接続されており、該排水管４７は、装置本体３外部の排水ホース４８に接続されている。本実施例装置１の使用時には、排水ホース４８の先端は浴室等に配置される。
【００１９】
座席部３１の略中央部には排水口５０が形成されている。排水口５０は、装置本体３内に配設された排水管５１を介して排水管４７に接続されている。また、排水口５０にはストレーナ５２が着脱自在に装着されている。
【００２０】
前扉３６の裏面および座席部３１の前面部には、横方向に延びるゴム製のパッキン（当接部）６０，６１がそれぞれ装着されている。これらのパッキン６０，６１は、チェアー２を装置本体３内に収容して前扉３６を閉めたときに、チェアー２のフットレスト２２の前，後端面に圧接するようになっており、これにより、洗浄装置１の使用中に、装置本体３の下部開口から下方に排水が漏出するのが防止されている。
【００２１】
なお、チェアー２を装置本体３内に収容したとき、フットレスト２２下部のブラシ２５は、装置本体３の排水口４６近傍の底壁部上に配置されており、これにより、フットレスト２２の両側方から装置本体３の下方に排水が飛散するのが防止されている。
【００２２】
従来の洗浄，入浴装置は、排水が装置外部に漏れるおそれがあったため、浴室内での使用に限られていたが、本実施例装置では、上述のように、装置の使用中に排水が漏れるのが確実に防止されていることから、浴室内ばかりでなく、室内においても使用することが可能である。
【００２３】
上記のように構成される本実施例装置により、被介護者を洗浄する際には、まず、被介護者をチェアー２に着座させるとともに、装置本体３の前扉３６を開け、チェアー２に着座させた被介護者をチェアー２ごと装置本体３内に入れる。被介護者を装置本体３内に収容後、介護者が前扉３６を閉め、レバー３７によりロックする。
【００２４】
このとき、チェアー２のフットレスト２２の前後端面は、それぞれ前扉３６側のパッキン６０，座席部３１側のパッキン６１に圧接し（図５参照）、フットレスト２２下部のブラシ２５は、装置本体３の底壁部上に配置されており、洗浄装置１からの水漏れが防止されている。
【００２５】
また、チェアー２が装置本体３内に進入するときには、座席部３１下部に設けられた突起部６５が受け皿２４の後端面に当接し、チェアー２の進入にともない、受け皿２４が圧縮ばね（図示せず）のばね力に抗して徐々に前方（図５左方）に移動する。そして、チェアー２が装置本体３内に収容されたとき、受け皿２４の大部分がフットレスト２２の下方に配置されることになる。これにより、装置本体３内の排水管５１と受け皿２４との干渉が防止されている。
【００２６】
次に、被介護者が全身入浴を希望する場合には、図４および図５に示すように、介護者が蛇腹４３を持ち上げ、サポート部４４を被介護者Ｐのたとえば首の辺りに配置するとともに、シャッター４０を前扉３６内から取り出してレール４１に沿って引き出し、その先端を連結板部４２上の係止部４５に係止させる。
【００２７】
この状態から、装置本体３内に洗浄水を導入して、各ノズル３２から被介護者Ｐに向けて洗浄水を噴出させる。このとき、連結板部４２下部のノズル３２からも洗浄水が噴出することから、被介護者Ｐの下半身のみならず上半身をも洗浄されることになるので、被介護者Ｐが全身洗浄を行うことができる。また、この洗浄時には、被介護者Ｐが密閉した装置本体３内に収容されることになるので、装置全体の保温効果を高めることができる。
【００２８】
なお、洗浄中の排水は、各排水口４６および５０から排水管４７，排水ホース４８を通って、たとえば浴室の排水口に排出されることになる。
【００２９】
次に、被介護者Ｐが下半身のみの入浴を希望する場合には、図６に示すように、介護者が蛇腹４３を押し下げ、サポート部４４を被介護者Ｐのたとえば腰の辺りに配置するとともに、シャッター４０を引き出して、その先端を係止部４５に係止させる。
【００３０】
この状態から、装置本体３内に洗浄水を導入すると、各ノズル３２から被介護者Ｐの下半身に向けて洗浄水が噴出され、これにより、被介護者Ｐが下半身の洗浄を行うことができる。この洗浄時には、被介護者Ｐは手摺３８を把持することによって、上半身を容易に支持することができる。
【００３１】
この場合には、被介護者が着座した状態で洗浄を行うことができるため、介護者の負担を軽減できる。また、被介護者の希望に応じ、簡単な操作で全身洗浄あるいは下半身洗浄を行うことができる。
【００３２】
洗浄後は、前扉３６を開け、被介護者Ｐを着座させたまま、チェアー２を前方に引き出す。このチェアー２の移動時には、受け皿２４が圧縮ばねのばね力により後方にスライドしてシート２１下方に配置されることになるので、被介護者Ｐの体からの滴をこの受け皿２４で受けることができ、滴が室内に落ちるのを防止できる。
【００３３】
なお、前記実施例では、洗浄中の排水は、装置本体３下部の排水口４６および座席部３１の排水口５０から装置外部に排出されるが、これらの排水口のうち、排水口５０は省略することも可能である。この場合には、座席部３１の座席面を前記実施例のような凹面状ではなく、平坦状にして、座席面上に水が溜まらないようにする必要がある。
【００３４】
また、前記実施例では、排水口４６および５０からの排水を同じ排水管４７に排出するようにしているが、図７に示すように、排水口５０からの排水は、排水管４７とは別個に配設されかつＵ字状部を有する排水管５３に排出するようにしてもよい。
【００３５】
図７において、排水管５３の上部には、排水管５３内を洗浄するための洗浄水が導入される洗浄管５４と、開閉バルブ５５とが接続されている。このような構成を採用することにより、排水管５３を汚水管として使用することが可能である。すなわち、この場合には、被介護者Ｐが洗浄中に排便または排尿を行うことができ、排出された便または尿は、座席部３１の排水口５０から排水管５３内に排出される。なお、排水管５３は、装置本体３外部に設けられた図示しない汚水ホースに接続されており、該汚水ホースの先端はトイレの便器内等に配置される。
【００３６】
さらに、図３および図７に示す前記各実施例において、座席部３１の排水口５０の下方に、取り出し可能なポータブル便器を設けるようにしてもよい。
【００３７】
図８は、図３の実施例の排水口５０の下方にポータブル便器７０を設けた例を示している。
このポータブル便器７０は、図９に示すような箱状の容器であって、座席部３１の前面に形成された穴５８内に着脱自在に収納される。ポータブル便器７０は、上方に開口を有し、該開口部７１が排水口５０の下方に配置される。また、ポータブル便器の前面には把手７２が取り付けられており、後面上部には排水をオーバーフローさせるための複数の孔７３が形成されている。なお、座席部前面の穴６８上には、開閉可能な蓋５９が取り付けられている。
【００３８】
【発明の効果】
以上のように本発明に係る洗浄装置によれば、介護者の負担を軽減でき、しかも、浴室内ばかりでなく室内においても使用することができる効果がある。
【図面の簡単な説明】
【図１】本発明の一実施例による洗浄装置の使用開始前の状態を示す全体斜視図。
【図２】前記実施例装置の使用中の状態を示す全体斜視図。
【図３】前記実施例装置の装置本体の縦断面部分図。
【図４】被介護者による前記実施例装置の使用中の状態（全身洗浄状態）を説明するための図。
【図５】被介護者による前記実施例装置の使用中の状態（全身洗浄状態）を説明するための図。
【図６】被介護者による前記実施例装置の使用中の状態（下半身洗浄状態）を説明するための図。
【図７】本発明の他の実施例による洗浄装置の装置本体の縦断面部分図であって、前記実施例装置の図３に相当する図。
【図８】本発明のさらに他の実施例による洗浄装置の装置本体の縦断面部分図であって、前記実施例装置の図３に相当する図。
【図９】図８の実施例装置においてポータブル便器を取り出した状態を示す斜視図。
【符号の説明】
１            洗浄装置
２            チェアー
２１          シート
２１ａ        開孔
２２          フットレスト
３            装置本体
３１          座席部
３２          ノズル（噴出部）
４０          シャッター（遮蔽部）
４６，５０    排水口
６０，６１    パッキン（当接部）
７０          ポータブル便器
７１          開口部
７３          オーバーフロー用の孔
Ｐ            被介護者
【図１】
0003615277.tif 000002
【図２】
0003615277.tif 000003
【図３】
0003615277.tif 000004
【図４】
0003615277.tif 000005
【図５】
0003615277.tif 000006
【図６】
0003615277.tif 000007
【図７】
0003615277.tif 000008
【図８】
0003615277.tif 000009
【図９】
0003615277.tif 000010